(57)【要約】      （修正有）【課題】  電線をダクト本体部の真上方向にも引き出すことのできる配線ダクトを提供する。【解決手段】  配線ダクト１は、多数本の電線を収容するダクト本体部２と、ダクト本体部２の開口部３を塞ぐ蓋部４と、からなっている。ダクト本体部２は、基板５と、基板５の両側部に起立形成された第1、第2の側板６，７と、によって断面略コ字状に形成されていて、前記第1、第2の側板６，７に前記電線を外部に引き出す分岐窓８を備えている。第1、第2の側板６，７のうちの少なくとも一方の側板６を、他方の側板７方向に傾斜させ、前記分岐窓８の少なくとも一部が前記基板５の真上に位置するようにした。【選択図】  図１
2005253192.tif 000002
【特許請求の範囲】
【請求項１】
多数本の電線を収容するダクト本体部と、該ダクト本体部の開口部を塞ぐ蓋部と、からなり、前記ダクト本体部は、基板と、該基板の両側部に起立形成された第1、第2の側板と、によって断面略コ字状に形成されていて、前記第1、第2の側板に前記電線を外部に引き出す分岐窓を設けた配線ダクトにおいて、
前記第1、第2の側板のうちの少なくとも一方の側板は、他方の側板方向に傾斜していて前記分岐窓の少なくとも一部が前記基板の真上に位置していることを特徴とする配線ダクト。
【請求項２】
多数本の電線を収容するダクト本体部と、該ダクト本体部の開口部を塞ぐ蓋部と、からなり、前記ダクト本体部は、基板と、該基板の両側部に起立形成された第1、第2の側板と、によって断面略コ字状に形成されていて、前記第1、第2の側板の少なくともいずれか一方に前記電線を外部に引き出す分岐窓を設けた配線ダクトにおいて、
前記第1、第2の側板のうちの少なくとも一方の側板は、基板に連続して該基板に対して略直角に伸びる第1の辺部と、該第1の辺部の先端に連続して前記基板と略平行に他方の側板側に向かって略水平に伸びる第2の辺部と、該第2の辺部の先端に連続して前記基板に対して略直角に伸びる第３の辺部と、で構成されていて、少なくとも前記第2の辺部に前記電線を外部に引き出す分岐窓を設けたことを特徴とする配線ダクト。
【発明の詳細な説明】
【技術分野】
【０００１】
本発明は、配電盤や制御盤等の盤内において配線用の電線を収容する配線ダクトに関するものである。
【背景技術】
【０００２】
配電盤や制御盤等において使用する配線ダクトとして、図７に示すものが知られている。前記配線ダクト１０１は、多数本の電線を収容するダクト本体部１０２と、該ダクト本体部１０２の開口部１０３を塞ぐ蓋部１０４と、を備えている。
【０００３】
前記ダクト本体部１０２は、基板１０５と、該基板１０５の両側部に起立形成された第1，第2の側板１０６，１０７と、によって断面略コ字状に形成されていて、前記第1、第2の側板１０６，１０７に前記電線を外部に引き出す多数の分岐窓１０８が設けられている。前記第1，第2の側板１０６，１０７は、基板１０４に対して略垂直（直角）に形成されている。（特許文献１）
【特許文献１】特開平５−５５７１６号公報
【発明の開示】
【発明が解決しようとする課題】
【０００４】
ところで、前記配線ダクト１０１においては、前述したように、前記第1，第2の側板１０６，１０７は、基板１０５に対して略垂直（直角）に形成されているために、次に述べるような問題点があった、
（１）図８に実線で示すように、電線１１０を第1，第2の側板１０６，１０７の分岐窓１０８からダクト本体部１０２の側方に引き出すことはできるが、図８に１点鎖線で示すように、電線１１０を第1，第2の側板１０６，１０７の分岐窓１０８から直接、ダクト本体部１０２の上方に引き出すことはできない。図８に２点鎖線で示すように、電線１１０を第1，第2の側板１０６，１０７の分岐窓１０８からダクト本体部１０２の側方に引き出してから上方に折り曲げて、電線１１０をダクト本体部１０２の上方に引き出すことも考えられるが電線１１０の折り曲げ作業が面倒であり、またスペース的に電線１１０を分岐窓１０８から第1，第2の側板１０６，１０７の側方に引き出すことが出来ない場合がある。
（２）図９に示すように、蓋部１０３に分岐窓１０９を設けて、該分岐窓１０９から電線１１０をダクト本体部１０２の上方に引き出すことも考えられるが、蓋部１０３のコストが高くなる。
【０００５】
本願発明の目的は、ダクト本体部の第1，第2の側板に設けた分岐窓から電線をダクト本体部の側方に引き出すことができるのは勿論のこと電線をダクト本体部の真上方向にも引き出すことのできる配線ダクトを提供することにある。
【課題を解決するための手段】
【０００６】
請求項１の発明は、多数本の電線を収容するダクト本体部と、該ダクト本体部の開口部を塞ぐ蓋部と、からなり、前記ダクト本体部は、基板と、該基板の両側部に起立形成された第1、第2の側板と、によって断面略コ字状に形成されていて、前記第1、第2の側板に前記電線を外部に引き出す分岐窓を設けた配線ダクトにおいて、
前記第1、第2の側板のうちの少なくとも一方の側板を、他方の側板方向に傾斜させ、前記分岐窓の少なくとも一部が前記基板の真上に位置するようにした。
【０００７】
請求項２の発明は、多数本の電線を収容するダクト本体部と、該ダクト本体部の開口部を塞ぐ蓋部と、からなり、前記ダクト本体部は、基板と、該基板の両側部に起立形成された第1、第2の側板と、によって断面略コ字状に形成されていて、前記第1、第2の側板の少なくともいずれか一方に前記電線を外部に引き出す分岐窓を設けた配線ダクトにおいて、
前記第1、第2の側板のうちの少なくとも一方の側板を、基板に連続して該基板に対して略直角に伸びる第1の辺部と、該第1の辺部の先端に連続して前記基板と略平行に他方の側板側に向かって伸びる第2の辺部と、該第2の辺部の先端に連続して前記基板に対して略直角に伸びる第３の辺部と、で構成し、少なくとも前記第2の辺部に前記電線を外部に引き出す分岐窓を設けた。
【発明の効果】
【０００８】
（１）請求項１の発明は、第1、第2の側板のうちの少なくとも一方の側板を、他方の側板方向に傾斜させ、分岐窓の少なくとも一部が基板の真上に位置するようにしたので、従来のように蓋部に分岐窓を設けなくても、前記傾斜させた側板に設けた分岐窓から電線を基板の真上方向に引き出すことができる。
（２）請求項２の発明は、前記第2の辺部に設けた分岐窓が、基板の真上に位置しているので、前記第2の辺部に設けた分岐窓から電線を基板の真上方向に引き出すことができる。
【発明を実施するための最良の形態】
【０００９】
図１は第1の実施の形態の配線ダクト１を示し、蓋部を取り外した状態の斜視図、図２は蓋部を取付けた状態の斜視図である。配線ダクト１は、多数本の電線を収容するダクト本体部２と、該ダクト本体部２の開口部３を塞ぐ蓋部４と、からなっている。
【００１０】
ダクト本体部２は、基板５と、該基板５の両側部に起立形成された第1，第2の側板６，７と、によって断面略コ字状に形成されていて、第1，第2の側板６，７には前記電線を外部に引き出す多数の分岐窓８が設けられている。
【００１１】
基板５は、長さ方向に所定の間隔で多数の取付け用の長孔９を備えていて、これら長孔９を使用して配電盤内等に取付けられるようになっている。
【００１２】
第1，第2の側板６，７のうちの一方の側板である第1の側板６は、他方の側板である第2の側板７方向に傾斜し、基板５の上方に覆い被さるようになっていて、第1の側板６の分岐窓８の少なくとも一部が基板５の真上に位置するようになっている。
【００１３】
また、蓋部４は、ダクト本体部２の開口部３を塞ぐ蓋ウエブ１１の両側部に第1，第2の折曲部１１，１２を備えている。そして、ダクト本体部２に蓋部４を被せると、蓋部４の第1，第2の折曲部１１，１２がダクト本体部２の第1，第2の側板６，７の先端部の外側面に係合して蓋部４は、ダクト本体部２に着脱可能にダクト本体部２に取付けられて、蓋ウエブ１１でダクト本体部２の開口部３を塞ぐようになっている。
【００１４】
第1の実施の形態の配線ダクト１は、上述のような構成であって、第1の側板６を、第2の側板７方向に傾斜させ、該第１の側板７の分岐窓８の一部が基板５の真上に位置するようにしたので、従来のように蓋部に分岐窓を設けなくても、図３に示すように、第１の側板７の分岐窓８から電線を基板の真上方向に引き出すことができる。なお、上記実施例においては、第1の側板６を根元部分から傾斜させる構成にしたが、第1の側板６を途中から傾斜させて、傾斜させた部分に分岐窓８を設けてもよい。また、上記実施例においては、第1の側板６を傾斜させる構成にしたが第２の側板７を傾斜させる構成にしてもよい。
【００１５】
図４は、第２の実施の形態の配線ダクト１を示し、蓋部を取り外した状態の斜視図、図５は蓋部を取付けた状態の斜視図である。この実施の形態において、第1，第2の側板６，７のうちの一方の側板である第1の側板６は、基板５に連続して該基板５に対して略直角に伸びる第1の辺部２１と、該第1の辺部２１の先端に連続して前記基板５と略平行に第2の側板７に向かって伸びる第2の辺部２２と、該第2の辺部２２の先端に連続して基板５に対して略直角に伸びる第３の辺部２３と、で構成されていて、前記第2の辺部２２に電線を外部に引き出す分岐窓８を設けた。なお、前記第３の辺部２３及び第2の側板７にも分岐窓８は設けられている。
【００１６】
第２の実施の形態の配線ダクト１は、上述のような構成であって、第1の側板６を、基板５に連続して該基板５に対して略直角に伸びる第1の辺部２１と、該第1の辺部２１の先端に連続して前記基板５と略平行に第2の側板７に向かって伸びる第2の辺部２２と、該第2の辺部２２の先端に連続して基板５に対して略直角に伸びる第３の辺部２３と、で構成し、前記第2の側板７に向かって略水平に伸びる第2の辺部２２に分岐窓８を設けたので、図６に示すように、前記第2の辺部２２に設けた分岐窓８から電線１１０を基板の真上方向に引き出すことができる。なお、上記実施例においては、第1の側板６に、前記第1の辺部２１と、第2の辺部２２と、第３の辺部２３と、を設け、第2の辺部２２に分岐窓８を設ける構成にしたが、第２の側板７に前記第1の辺部２１と、第2の辺部２２と、第３の辺部２３と、を設け、第2の辺部２２に分岐窓８を設ける構成にしてもよい。
【図面の簡単な説明】
【００１７】
【図１】第1の実施の形態の配線ダクトの斜視図。（蓋部を取り外した状態）
【図２】第1の実施の形態の配線ダクトの斜視図。（蓋部を取り付けた状態）
【図３】効果を示す説明図。
【図４】第２の実施の形態の配線ダクトの斜視図。（蓋部を取り外した状態）
【図５】第２の実施の形態の配線ダクトの斜視図。（蓋部を取り付けた状態）
【図６】効果を示す説明図。
【図７】従来例の斜視図。
【図８】従来例の問題点を示す説明図。
【図９】他の従来例を示す斜視図。
【符号の説明】
【００１８】
１…配線ダクト
２…ダクト本体部
３…開口部
４…蓋部
５…基板
６，７…第1，第2の側板
８…分岐窓
２１…第1の辺部
２２…第2の辺部
２３…第３の辺部
【図１】
2005253192.tif 000003
【図２】
2005253192.tif 000004
【図３】
2005253192.tif 000005
【図４】
2005253192.tif 000006
【図５】
2005253192.tif 000007
【図６】
2005253192.tif 000008
【図７】
2005253192.tif 000009
【図８】
2005253192.tif 000010
【図９】
2005253192.tif 000011